【事件の表示】
　特許第３２４９０６７号「窓枠」の請求項１ないし３に係る特許に対する特許異議の申立てについて、次のとおり決定する。
【結　論】
　訂正を認める。
　特許第３２４９０６７号の請求項１ないし３に係る特許を維持する。
【理　由】
１．手続の経緯
　本件特許第３２４９０６７号の請求項１ないし請求項３に係る発明は、平成９年５月１５日に出願され、平成１３年１１月９日にその特許権の設定登録がなされ、その後、ワイケイケイ株式会社より特許異議の申立てがなされ、取消しの理由が通知され、その指定期間内である平成１４年１２月１０日に訂正請求（後日取下げ）がなされた後、再度の取消しの理由が通知され、その指定期間内である平成１５年１月２１日に訂正請求がなされたものである。
　
２．訂正の適否についての判断
(2-1)訂正の内容
　(1)特許請求の範囲の請求項１ないし請求項３を次のとおりに訂正する。
「　【請求項１】　窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記窓開口部に装着される金属
下枠及び金属縦枠
下枠及び樹脂縦枠
上記金属下枠及び金属縦枠と
下枠及び樹脂縦枠とを適所で
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態で
窓開口部に対して
　【請求項２】　窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記金属
下枠及び金属縦枠
下枠及び樹脂縦枠
下枠及び金属縦枠
下枠及び金属縦枠
下枠及び金属縦枠
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、
樹脂上枠に設けた内レールの室内側部において樹脂上枠と金属上枠とが重合状態で
窓開口部に対して
　【請求項３】　上記樹脂上枠は、室外側部の係止片が上記金属上枠の外レールとなる垂下片の下端係止部で係止されると共に、内レールとなる上レールの室内側部において金属上枠と
窓開口部に対して
　(2)本件特許明細書の段落【０００５】ないし段落【０００７】を次のとおりに訂正する。
　「【０００５】
【課題を解決するための手段】
　上記目的を達成するため請求項１記載の本発明は、窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記窓開口部に装着される金属
下枠及び金属縦枠
下枠及び樹脂縦枠
上記金属下枠及び金属縦枠と
下枠及び樹脂縦枠とを適所で
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態で
窓開口部に対して
　【０００６】
　上記目的を達成するため請求項２記載の本発明は、窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記金属
下枠及び金属縦枠
下枠及び樹脂縦枠
下枠及び金属縦枠
下枠及び金属縦枠
下枠及び金属縦枠
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、
樹脂上枠に設けた内レールの室内側部において樹脂上枠と金属上枠とが重合状態で
窓開口部に対して
　【０００７】
　また、請求項３記載の本発明は、請求項１又は２記載の発明において、上記樹脂上枠は、室外側部の係止片が上記金属上枠の外レールとなる垂下片の下端係止部で係止されると共に、内レールとなる上レールの室内側部において金属上枠と
窓開口部に対して
　
(2-2)訂正の目的の適否、新規事項の有無及び拡張・変更の有無
　上記訂正(1)は、金属製枠及び樹脂製枠において、金属下枠及び金属縦枠と樹脂下枠及び樹脂縦枠については相互にねじ固定され、金属上枠及び樹脂上枠については重合状態で窓開口部に対してねじ固定されるとの構造を限定したものであり、特許請求の範囲の減縮を目的とするものであり、上記訂正(2)は、上記訂正(1)の訂正に伴い、特許請求の範囲と発明の詳細な説明との整合を図る明りょうでない記載の釈明を目的とするものである。
　上記訂正(1)及び(2)は、本件特許公報の５欄３９ないし４２行（樹脂下枠の取り付け）、６欄１６ないし１９行（樹脂上枠の取り付け）、６欄４１ないし４４行（左樹脂縦枠の取り付け）、７欄６ないし１１行（右樹脂縦枠の取り付け）、【図３】及び【図４】の記載に基くものであり、願書に添付した明細書及び図面に記載した事項の範囲内である。
　そして、上記訂正(1)及び(2)は、実質上特許請求の範囲を拡張し、又は変更するものでもない。
　
(2-3)むすび
　以上のとおりであるから、上記訂正は、特許法第１２０条の４第２項及び同条第３項において準用する特許法第１２６条第２項及び第３項の規定に適合するので、当該訂正を認める。
　
３．特許異議申立てについての判断
(3-1)申立ての理由の概要
　異議申立人は、証拠方法として、甲第１号証ないし甲第５号証を提出し、訂正前の本件の請求項１ないし３に係る発明についての特許は、特許法第２９条第２項の規定に違反してなされたものである旨主張している。
　
(3-2)本件発明
　上記２．で示したように上記訂正が認められるから、本件の請求項１ないし３に係る発明は、上記訂正に係る訂正明細書の特許請求の範囲請求項１ないし請求項３に記載された事項により特定されるとおりのものである（上記２．(2-1)(1)参照）。
　
(3-3)甲各号証
　甲第１号証（特開平８−２６０８２１号公報）には、【００１５】〜【００２１】、【図２】及び【図３】記載の第１実施例を参酌した、【００２９】及び【図５】及び【図６】記載の第２実施例の記載によれば、「窓開口部に装着される上下枠と縦枠とからなる金属部１４ａ、１５ａ、１６ａと、該金属部の屋内側露出部分を覆う上下枠と縦枠とからなる合成樹脂部１４ｂ、１５ｂ、１６ｂとを備えた窓枠において、上記窓開口部に装着される上下枠の金属部１４ａ、１５ａ及び縦枠の金属部１６ａに対し、上記合成樹脂部１４ｂ、１５ｂ、１６ｂはその内周部から各々取付けるものであって、一方に設けた係止部に他方に設けた係止片を係止すると共に、上記上枠の金属部１４ａは室外側部に外レールとなる案内突縁２１を垂下し、上枠の合成樹脂部１４ｂは室外側部に中空突部２２を垂下すると共に、室内側部に内レールとなる中空突部２３を垂下し、上記上枠の金属部の外レールの下端係止部が上枠の合成樹脂部の係止片を係止し、上枠の金属部はその室内側部が上枠の合成樹脂部の室内側まで延出されているが、室内側端部までは延出されておらず、下枠の金属部１５ａ及び縦枠の金属部１６ａと上記下枠の合成樹脂部１５ｂ及び縦枠の合成樹脂部１６ｂとが重合状態で窓開口部に対してねじ固定され、上枠の合成樹脂部１４ｂと上枠の金属部１４ａとは、重合されることなく、それぞれ、個別に窓開口部に対してねじ固定されている窓枠。」の発明が記載されていると認められる。
　甲第２号証：新日軽株式会社　１９９５年５月発行「高性能腕サッシ　アルプラシリーズ」６〜１０頁、８８〜９０頁及び９３及び９４頁。
　　甲第２号証の１（甲第２号証の８８頁）には、金属下枠及び金属縦枠と上記樹脂下枠及び樹脂縦枠とが重合状態で窓開口部に対してねじ固定され、樹脂上枠と金属上枠とは、重合されることなく、それぞれ、個別に窓開口部に対してねじ固定されていることが記載されている。
　　甲第２号証の２（同９３頁）及び甲第２号証の３（同９４頁）には、全ての金属製枠と全ての樹脂製枠とが重合状態で窓開口部に対してねじ固定された窓枠が記載されている。
　甲第３号証（実公平６−３５０９９号公報）には、窓枠を修理するため化粧板とアルミニウム型材とを分離し再び結合する作業を容易にしかも各部材を傷めることがないことが記載されている。
　甲第４号証（特開平７−１８９５５５号公報）には、サッシ枠一体化化粧材によりサッシ枠取付に始まる窓周りの施工工程数の減少と施工作業の簡略化を図ったことが記載されている。
　甲第５号証（実願昭５８−７４９４４号（実開昭５９−１７９９８２号）のマイクロフィルム）には、樹脂縦枠及び樹脂下枠と、金属縦枠及び金属下枠とが重合状態で窓開口部に対してねじ固定されたことが記載されている。
　
(3-4)対比・判断
（本件発明１について）
　本件の請求項１に係る発明（以下、本件発明１という。）と甲第１号証記載の発明とを対比すると、甲第１号証記載の発明の「金属部１４ａ、１５ａ、１６ａ」、「合成樹脂部１４ｂ、１５ｂ、１６ｂ」、「案内突縁２１」、「中空突部２２」、「中空突部２３」が、本件発明１の「金属製枠」、「樹脂製枠」、「垂下片」、「係止片」、「上レール」に相当し、本件発明が、「上記金属下枠及び金属縦枠と上記樹脂下枠及び樹脂縦枠とを適所でねじ固定してなり、上記金属上枠はその室内側部が樹脂上枠の室内側端部まで延出されると共に、樹脂上枠に設けた内レールの室内側部において樹脂上枠と金属上枠とが重合状態で窓開口部に対してねじ固定されてなる」のに対し、甲第１号証記載の発明は、金属下枠及び金属縦枠と上記樹脂下枠及び樹脂縦枠とが重合状態で窓開口部に対してねじ固定され、樹脂上枠と金属上枠とは、重合されることなく、それぞれ、個別に窓開口部に対してねじ固定されている点で、両者は、少なくとも相違する。
　上記相違点を検討すると、甲第２号証の１には、甲第１号証と同様の窓枠が、甲第２号証の２及び甲第２号証の３には、全ての金属製枠と全ての樹脂製枠とが重合状態で窓開口部に対してねじ固定された窓枠が、甲第３号証には、窓枠を修理するため化粧板とアルミニウム型材とを分離し再び結合する作業を容易にしかも各部材を傷めることがないことが、甲第４号証には、サッシ枠一体化化粧材によりサッシ枠取付に始まる窓周りの施工工程数の減少と施工作業の簡略化を図ったことが、甲第５号証には、樹脂縦枠及び樹脂下枠と、金属縦枠及び金属下枠とが重合状態で窓開口部に対してねじ固定されたことが、それぞれ記載されているが、本件発明１の上記相違点に係る構成は記載されていない。
　本件発明１の上記相違点に係る構成により、本件特許明細書の段落【００１９】に記載されているように、「窓開口部に装着される金属製枠に対し樹脂製枠を内周部側から取付けるようにしたことから、窓枠を窓開口部に設置した状態のままで、固定ねじを取り外すだけで樹脂製枠のみの交換を可能とし、その結果、複合製の窓枠のメンテナンス性を向上することができる」という格別の効果を奏する。
　したがって、本件発明１が甲第１号証ないし甲第５号証記載の発明に基いて当業者が容易に発明をすることはできない。
（本件発明２について）
　本件の請求項２に係る発明（以下、本件発明２という。）と甲第１号証記載の発明とを対比すると、本件発明２が「上記樹脂下枠及び樹脂縦枠は、金属下枠及び金属縦枠に対してねじ固定してなり、上記金属上枠はその室内側部が樹脂上枠の室内側端部まで延出されると共に、樹脂上枠に設けた内レールの室内側部において樹脂上枠と金属上枠とが重合状態で窓開口部に対してねじ固定されてなる」のに対し、甲第１号証記載の発明は、金属下枠及び金属縦枠と上記樹脂下枠及び樹脂縦枠とが重合状態で窓開口部に対してねじ固定され、樹脂上枠と金属上枠とは、重合されることなく、それぞれ、個別に窓開口部に対してねじ固定されている点で、両者は、少なくとも相違する。
　上記相違点を検討すると、上記（本件発明１について）において検討したと同様の理由により、本件発明２が甲第１号証ないし甲第５号証記載の発明に基いて当業者が容易に発明をすることはできない。
（本件発明３について）
　本件の請求項３に係る発明（以下、本件発明３）と刊行物記載の発明とを対比すると、本件発明１及び２が前述のとおりであるから、請求項１又は請求項２を引用した本件発明も、本件発明１及び２と同様に、各刊行物に記載された発明に基いて当業者が容易に発明をすることができたとすることはできない。
　
(3-5)むすび
　以上のとおりであるから、特許異議の申立ての理由によっては、本件発明１ないし本件発明３についての特許を取り消すことはできない。
　また、他に本件発明についての特許を取り消すべき理由を発見しない。
　よって、結論のとおり決定する
【異議決定日】
平成１５年１月３０日（２００３．１．３０）
【訂正の要旨】
訂正事項
　ａ．特許請求の範囲の請求項１
「請求項１：
　窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記窓開口部に装着される金属製枠に対し、上記樹脂製枠はその内周部から各々取付けるものであって、一方に設けた係止部に他方に設けた係止片を係止すると共に、適所をねじ固定してなり、
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態でねじ固定されてなることを特徴とする窓枠。」を、
「請求項１：
　窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記窓開口部に装着される金属
下枠及び金属縦枠
下枠及び樹脂縦枠
上記金属下枠及び金属縦枠と上記樹脂下枠及び樹脂縦枠とを適所で
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態で
窓開口部に対して
　これに伴い、特許請求の範囲の記載と発明の詳細な説明との整合をとるため、特許明細書第３頁第７行〜同頁第１８行「上記目的を達成するため請求項１記載の本発明は、窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記窓開口部に装着される金属製枠に対し、上記樹脂製枠はその内周部から各々取付けるものであって、一方に設けた係止部に他方に設けた係止片を係止すると共に、適所をねじ固定してなり、
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態でねじ固定されてなることを特徴として構成される。」を明りょうでない記載の釈明を目的として、
「上記目的を達成するため請求項１記載の本発明は、窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記窓開口部に装着される金属
下枠及び金属縦枠
下枠及び樹脂縦枠
上記金属下枠及び金属縦枠と上記樹脂下枠及び樹脂縦枠とを適所で
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態で
窓開口部に対して
　ｂ．特許請求の範囲の請求項２
「請求項２：
　窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記金属製枠はその内周面側に係止部を備え、上記樹脂製枠は上記金属製枠の係止部に係合する係止片を備えると共に、上記金属製枠の内周面側から該金属製枠に対しねじ固定してなり、
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態でねじ固定されてなることを特徴とする窓枠。」を、
「請求項２：
　窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記金属
下枠及び金属縦枠
下枠及び樹脂縦枠
下枠及び金属縦枠
下枠及び金属縦枠
下枠及び金属縦枠
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態で
窓開口部に対して
　これに伴い、特許請求の範囲の記載と発明の詳細な説明との整合をとるため、特許明細書第３頁第２０行〜第４頁第２行「上記目的を達成するため請求項２記載の本発明は、窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記金属製枠はその内周面側に係止部を備え、上記樹脂製枠は上記金属製枠の係止部に係合する係止片を備えると共に、上記金属製枠の内周面側から該金属製枠に対しねじ固定してなり、
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態でねじ固定されてなることを特徴として構成されている。」を明りょうでない記載の釈明を目的として、
「上記目的を達成するため請求項２記載の本発明は、窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記金属
下枠及び金属縦枠
下枠及び樹脂縦枠
下枠及び金属縦枠
下枠及び金属縦枠
下枠及び金属縦枠
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態で
窓開口部に対して
　ｃ．特許請求の範囲の請求項３
「請求項３：
　上記樹脂上枠は、室外側部の係止片が上記金属上枠の外レールとなる垂下片の下端係止部で係止されると共に、内レールとなる上レールの室内側部において金属上枠とねじ固定されてなることを特徴とする請求項１又は２記載の窓枠。」を、
「請求項３：
　上記樹脂上枠は、室外側部の係止片が上記金属上枠の外レールとなる垂下片の下端係止部で係止されると共に、内レールとなる上レールの室内側部において金属上枠と
窓開口部に対して
　これに伴い、特許請求の範囲の記載と発明の詳細な説明との整合をとるため、特許明細書第４頁第４行〜同頁第７行「また請求項３記載の本発明は、請求項１又は２記載の本発明において、上記樹脂上枠は、室外側部の係止片が上記金属上枠の外レールとなる垂下片の下端係止部で係止されると共に、内レールとなる上レールの室内側部において金属上枠とねじ固定されてなることを特徴として構成されている。」を明りょうでない記載の釈明を目的として、
「また請求項３記載の本発明は、請求項１又は２記載の本発明において、上記樹脂上枠は、室外側部の係止片が上記金属上枠の外レールとなる垂下片の下端係止部で係止されると共に、内レールとなる上レールの室内側部において金属上枠と
窓開口部に対して
（５４）【発明の名称】
窓枠
（５７）【特許請求の範囲】
　【請求項１】　窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記窓開口部に装着される金属
下枠及び金属縦枠
下枠及び樹脂縦枠
上記金属下枠及び金属縦枠と上記樹脂下枠及び樹脂縦枠とを適所で
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態で
窓開口部に対して
　【請求項２】　窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記金属
下枠及び金属縦枠
下枠及び樹脂縦枠
下枠及び金属縦枠
下枠及び金属縦枠
下枠及び金属縦枠
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態で
窓開口部に対して
　【請求項３】　上記樹脂上枠は、室外側部の係止片が上記金属上枠の外レールとなる垂下片の下端係止部で係止されると共に、内レールとなる上レールの室内側部において金属上枠と
窓開口部に対して
【発明の詳細な説明】
　【０００１】
　【発明の属する技術分野】
　本発明は、建物開口部に装着される金属製枠に対しその屋内側露出部分を樹脂製枠で覆うことにより、結露の防止を図ると共に金属製枠の視覚的な冷たさを排除するようにした窓枠に関する。
　【０００２】
　【従来の技術】
　近年、アルミサッシ等の金属製枠からなる窓枠に対し、その屋内側露出部分に樹脂製枠を備えた複合型の窓枠が考えられている。これは、金属製枠の屋内側を金属に比して熱伝導率が極めて低い樹脂により覆うことによって、サッシ窓の断熱性の向上を図ると共に室内側への結露を抑え、また金属製枠の視覚的な冷たさを排除すると共に室内装飾との一体性を持たせることによって意匠の向上を図るものである。
　このような複合型の窓枠は、金属製枠に対し樹脂製枠を取り付け窓枠を枠組み完成させた状態で窓開口部に設置される。
　【０００３】
　【発明が解決しようとする課題】
　その一方で、樹脂製枠はアルミ等の金属製枠に比して、経年変化や外部からの衝撃等に弱く、変色したり、破損したりすることがあり、その交換が必要になることがあった。
　また一方、樹脂製枠を室内装飾との一体性を持たせるために、室内装飾を変えた場合には、同時に樹脂製枠も室内装飾に合わせて取り替えの必要性が生じてくる場合もある。
　しかしながら、従来、上記樹脂製枠の交換を行なう場合でも、金属製枠を含む窓枠全体を窓開口部から取り外す必要があり、作業性が極めて悪いという問題があった。
　【０００４】
　本発明は、上記従来の問題点に鑑みてなされたものであり、窓開口部に対し窓枠を設置した状態のままで、上記樹脂製枠のみの交換を可能とし、その結果、複合製の窓枠のメンテナンス性を向上することを目的としている。
　【０００５】
　【課題を解決するための手段】
　上記目的を達成するため請求項１記載の本発明は、窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記窓開口部に装着される金属
下枠及び金属縦枠
下枠及び樹脂縦枠
上記金属下枠及び金属縦枠と上記樹脂下枠及び樹脂縦枠とを適所で
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態で
窓開口部に対して
　【０００６】
　上記目的を達成するため請求項２記載の本発明は、窓開口部に装着される金属上下枠と金属縦枠とからなる金属製枠と、該金属製枠の屋内側露出部分を覆う樹脂上下枠と樹脂縦枠とからなる樹脂製枠とを備えた窓枠において、
　上記金属
下枠及び金属縦枠
下枠及び樹脂縦枠
下枠及び金属縦枠
下枠及び金属縦枠
下枠及び金属縦枠
　上記金属上枠は室外側部に外レールとなる垂下片を垂下し、樹脂上枠は室外側部に係止片を垂下すると共に、室内側部に内レールとなる上レールを垂下し、上記金属上枠の外レールの下端係止部が樹脂上枠の係止片を係止してなり、
　上記金属上枠はその室内側部が樹脂上枠の室内側端部まで延出されると共に、樹脂上枠に設けた内レールの室内側部において樹脂上枠と金属上枠とが重合状態で
窓開口部に対して
　【０００７】
　また請求項３記載の本発明は、請求項１又は２記載の本発明において、上記樹脂上枠は、室外側部の係止片が上記金属上枠の外レールとなる垂下片の下端係止部で係止されると共に、内レールとなる上レールの室内側部において金属上枠と
窓開口部に対して
　【０００８】
　【発明の実施の形態】
　以下、本発明の実施形態を図面に沿って詳細に説明する。図１は本発明の窓枠を適用した引き違い窓の屋内側から見た横断面図、図２はその縦断面図、図３は窓障子を取り外した状態における図１対応の横断面図、図４は窓障子を取り外した状態における図２対応の縦断面図をそれぞれ示している。
　これら各図において、本発明の引き違い窓は、窓開口部Ａに装着された上下枠及び左右の縦枠からなる窓枠１内に、一対の窓障子１０を引き違い自在に納めてなるものである。
　【０００９】
　窓枠１を構成する各枠材は、複合型の枠材であり、べースとなるアルミ枠２とその屋内側露出部分を覆う樹脂枠３とから構成されている。すなわち、アルミ枠２は、アルミ上枠２１、アルミ下枠２２、アルミ縦枠２３、２４を方形に枠組みして構成され、樹脂枠３は、樹脂上枠３１、樹脂下枠３２、樹脂縦枠３３、３４を方形に枠組みして構成されている。
　そして、上記樹脂上枠３１はアルミ上枠２１に、樹脂下枠３２はアルミ下枠２２に、樹脂縦枠３３はアルミ縦枠２３に、樹脂縦枠３４はアルミ縦枠２４に、それぞれ取り付けられている。具体的な取り付け方法については、後述する。
　なお、上記アルミ枠２はアルミの押し出し型材にて成型され、また樹脂枠３は塩化ビニルやアクリル樹脂等から成型される。また、これ等の樹脂材には、木材粉等を混入させて、外観上あたかも木材で形成されているかの観を呈することもできる。
　【００１０】
　一方、各窓障子１０は、上下及び左右の框材を方形に框組みしてなる框体１１内に複層ガラス１２を納めてなる。框体１１を構成する各框材も、上記窓枠１と同様に、アルミ框１３とその屋内側露出部分を覆うように取り付けられた樹脂框１４とで構成されている。
　すなわち、上記樹脂上框１４ａはアルミ上框１３ａに、樹脂下框１４ｂはアルミ下框１３ｂに、樹脂縦框１４ｃはアルミ縦框１３ｃに、樹脂縦框１４ｄはアルミ縦框１３ｄに、それぞれ取り付けられている。なお、屋外側の窓障子１０における一方のアルミ縦框は、屋内側に露出することがないので、この部分には樹脂框は取り付けられていない。
　【００１１】
　上記アルミ下枠２２は、図２及び図４に示すように、その内周面を階段状に形成してなり、その面より、屋外側の下レール２２ａ及び屋内側の下レール２２ｂを突出形成してある。また、アルミ下枠２２の屋内端には、逆Ｌ字状の立ち上がり片２２ｃが形成されている。これは上記下レール２２ｂの下半部が屋内面側に露出することを防止する。
　【００１２】
　樹脂下枠３２は、上記屋内側の下レール２２ｂよりもさらに屋内側のアルミ下枠２２の内周面を覆うように設置される。
　各図で明らかなように、樹脂下枠３２は、下レール２２ｂと立ち上がり片２２ｃとによって形成される溝Ｃ内に納められる樹脂下枠本体３２ａと、上記アルミ下枠２２の立ち上がり片２２ｃに沿って設けられる逆Ｌ字状の係止片３２ｂとから構成されている。上記樹脂下枠３２の係止片３２ｂの先端は下方に屈曲され、上記樹脂下枠本体３２ａを上記溝Ｃ内に納めた状態で、アルミ下枠２２の立ち上がり片２２ｃに係合する。
　樹脂下枠本体３２ａの垂下片には、長手方向に適宜間隔でねじ孔３２ｃが形成されており、下レール２２ｂを挟んで、ここにねじ４を螺合することによって、アルミ下枠２２と樹脂下枠３２を連結する。ねじ４は、アルミ下枠２２の内周面側に形成した孔５より挿入及び螺合が可能であり、作業者は屋内側から手を回してねじの締め付け及び取り外し作業を行なう。
　【００１３】
　アルミ上枠２１は、アルミ上枠本体２１ｂに垂下片２１ａを有してなり、上記アルミ下枠２２における屋外側の下レール２２ｂに対応する位置に、垂下片２１ａが設けられている。この垂下片２１ａは、後述する樹脂上枠３１の係止片３１ｂと一体となって、屋外側の外上レールを構成する。垂下片２１ａの先端は屋内側に略Ｊ字状に形成されて係止部を構成し、係止片３１ｂを係止する。
　樹脂上枠３１は、上記垂下片２１ａよりも屋内側のアルミ上枠２１の内周面を覆うように設置される。樹脂上枠３１は、アルミ上枠２１に沿って設けられる樹脂上枠本体３１ａと、この樹脂上枠本体３１ａから垂下された係止片３１ｂと、上レール３１ｃ及び立ち上がり片３１ｄとから構成されている。係止片３１ｂは、その先端を上記アルミ上枠２１の垂下片２１ａ先端係止部に係止され、必要により、その下端部を部分的にカシメて両者の結合を強固なものとしてある。
　上記樹脂上枠本体３１ａにおける上レール３１ｃと立ち上がり片３１ｄとの間の領域には、上記アルミ上枠２１を構成するアルミ上枠本体２１ｂの室内端部が延出されると共に、その長手方向に沿って適宜間隔でねじ孔３１ｅが形成されている。樹脂上枠３１は、その係止片３１ｂをアルミ上枠２１の垂下片２１ａに係止させた状態で、上記ねじ孔３１ｅに挿通されるねじ６によって、アルミ上枠２１と重合状態で窓開口部Ａに固定される。この場合ねじ６は、立ち上がり片３１ｄによって屋内側に露出することがない。
　【００１４】
　次に、図１及び図３に沿って左右の縦枠の構成について説明する。図における左側のアルミ縦枠２３は、その内周面における見付方向略中央に係止突片２３ａを有すると共に、屋内端に立ち上がり片２３ｂを有する。係止突片２３ａは、その先端が屋内側に曲げられており、後述する樹脂縦枠３３の係止片３３ｂと係合する。樹脂縦枠３３は、アルミ縦枠２３の略半分の見付幅を有しており、係止突片２３ａの屋内側におけるアルミ縦枠２３の内周面を覆うように設置される。
　樹脂縦枠３３は、アルミ縦枠２３の内周面に当接される樹脂縦枠本体３３ａと、その屋外側から伸びる係止片３３ｂ及びその屋内側から伸びる立ち上がり片３３ｃとから構成されている。係止片３３ｂの先端は、上記アルミ縦枠２３の係止突片２３ａに係合し、立ち上がり片３３ｃは、アルミ縦枠２３の立ち上がり片２３ｂに重ね合わされるように配置されると共に、その先端は屈曲され、立ち上がり片２３ｂの先端に係合する。
　樹脂縦枠３３の取り付けに際しては、その立ち上がり片３３ｃの先端を先に係止し、次いで係止片３３ｂを係止突片２３ａに弾発係合する。樹脂縦枠本体３３ａには、その長手方向に沿ってねじ孔３３ｄが形成してあり、樹脂縦枠３３を設置後、屋内側からねじ７によってアルミ縦枠２３に対する固定を行なう。
　【００１５】
　右側の縦枠においてアルミ縦枠２４は、その内周面側に屋内側の窓障子用の戸当たり片２４ａを備えると共に、屋内側端部に立ち上がり片２４ｂを備える。樹脂縦枠３４は、この戸当たり片２４ａよりも屋内側のアルミ縦枠２４の内周面を覆うように設置される。
　樹脂縦枠３４は、上記戸当たり片２４ａと立ち上がり片２４ｂの間でアルミ縦枠２４の内周面に当接される樹脂縦枠本体３４ａと、その屋内側から伸びる立ち上がり片３４ｂとから構成されている。立ち上がり片３４ｂは、アルミ縦枠２４の立ち上がり片２４ｂに重ね合わされるように配置されると共に、その先端は屈曲され、立ち上がり片２４ｂの先端に係合する。樹脂縦枠本体３４ａには、その長手方向に沿ってねじ孔３４ｃが形成してあり、立ち上がり片３４ｂの先端をアルミ縦枠２４の立ち上がり片２４ｂに係止した状態で樹脂縦枠３４を設置した後、屋内側からねじ７によってアルミ縦枠２４に対する固定を行なう。
　【００１６】
　上述したように樹脂上枠３１、樹脂下枠３２、樹脂縦枠３３及び３４に各々設けた係止片３２ｂと、立ち上がり片３１ｄ、３３ｃ及び３４ｂの室内側部には、図１、図２に各々示すように、室内側に突出するアングル片（突片）を設けて、これ等が四周を連続する化粧縁４０を構成し、窓開口部Ａの室内側に設ける化粧額縁４０Ａと一体感を持たせるようにしてある。
　また図１において、窓障子１０の室外側には網戸８が設けられ、下枠の端部には戸当りブロック９が樹脂縦枠３３に当接状に設けられている。
　【００１７】
　以上、本実施形態における各窓枠の構成について説明した。
　上述したように樹脂上枠３１、樹脂下枠３２、樹脂縦枠３３及び３４は、それぞれアルミ上枠２１、アルミ下枠２２、アルミ縦枠２３及び２４に対し、各係止構造及び窓枠の内周面側から螺合されるねじによって取り付けられている。したがって、経年変化や衝撃による破損等でこれら樹脂枠の交換が必要になった場合には、アルミ枠を取り外すこと無く、樹脂枠を固定する上記ねじを外し、係止部分を解除することによって窓枠の内周面側に樹脂枠を取り外し、その取り替えが可能となる。
　【００１８】
　以上、本発明の実施形態を図面に沿って説明した。しかしながら、本発明は上記実施形態に記載された事項に限定されず、特許請求の範囲の記載に基づいてその変更、改良が可能である。例えば、先の実施形態では、窓枠のすべての枠材に対し本発明の構成を実現したものを示したが、必らずしも窓枠のすべての枠材においてこれを適用しなくとも良い。
　また、本明細書において説明した「ねじ４、６、７」なる概念はビスやボルト等を含む固定具として使用している。そして、このねじ４等は、樹脂枠３とアルミ枠２の全てに使用しなくとも、係止構造によって、両者の結合をなしてもよい。
　【００１９】
　【発明の効果】
　以上のように本発明によれば、窓開口部に装着される金属製枠に対し樹脂製枠を内周部側から取付けるようにしたことから、窓枠を窓開口部に設置した状態のままで、固定ねじを取り外すだけで樹脂製枠のみの交換を可能とし、その結果、複合製の窓枠のメンテナンス性を向上することができるという効果がある。
　【００２０】
　しかも、本発明によれば、金属上枠の外レールの下端部が樹脂上枠の係止片を係止し、金属上枠の室内側部が樹脂上枠の室内側端部まで延出されて樹脂上枠の内レールの室内側部において樹脂上枠と金属上枠とがねじ固定されてなることから、室外側部は金属レールで樹脂係止片を受け、室内側部で金属上枠と樹脂上枠をねじ固定することとなって、室内側部から室外側レール部まで一体の樹脂上枠を金属上枠内周面に取り付けることができる効果がある。
　更に、金属上枠の室内側部が樹脂上枠の室内側端部まで延出されて、この室内側部において金属上枠と樹脂上枠を重合状態でねじ固定するので、樹脂上枠を金属上枠と共に窓開口部に一体的で強固に取り付けることができる効果がある。
　【００２１】
　また、請求項３記載の本発明によれば、樹脂上枠は、室外側部の係止片が金属上枠の外レールの下端係止部で係止されると共に、内レールの室内側部において金属上枠とねじ固定されてなることから、樹脂上枠の金属上枠への取り付けと、取り外しを、係止とねじ固定によって極めて簡易になすことができるという効果がある。
　【００２２】
　【００２３】
【図面の簡単な説明】
　【図１】　本発明の窓枠を適用した引き違い窓の屋内側から見た横断面図である。
　【図２】　図１の縦断面図である。
　【図３】　窓障子を取り外した状態における図１対応の横断面図である。
　【図４】　窓障子を取り外した状態における図２対応の縦断面図である。
　【符号の説明】
　　Ａ　　窓開口部
　　１　　窓枠
　　２　　アルミ枠
　　３　　樹脂枠
　　４　　ねじ
　　５　　孔
　　６　　ねじ
　　７　　ねじ
　１０　　窓障子
　１１　　框体
　１２　　複層ガラス
　１３　　アルミ框
　１４　　樹脂框
　２１　　アルミ上枠
　２１ａ　垂下片
　２１ｂ　アルミ上枠本体
　２２　　アルミ下枠
　２３、２４　アルミ縦枠
　３１　　樹脂上枠
　３１ａ　樹脂上枠本体
　３１ｂ　係止片
　３１ｃ　上レール
　３２　　樹脂下枠
　３３、３４　樹脂縦枠
　４０　　化粧縁